(57)【要約】【課題】窓やドア等にモジュールを予め組み込むことができる内蔵型とすることで、外部から発見しにくく、また、外部配線工事も不要であり、しかも、発信器毎にＩＤを設定して、受信側で発信箇所を瞬時に特定することができ、外部電源が遮断された場合でも機能させることができる建物の開閉体を提供する。【解決手段】建物の窓や扉等の開閉体内に、自己発電可能で、かつ、送信機能を備えたモジュールを内蔵させ、上記モジュールの発電部は、上記開閉体の開閉に伴う振動により自己発電可能に構成されていると共に、上記モジュールの送信部は、上記開閉体の開作動と閉作動の別を判別して、該開閉体の開閉状態を、該開閉体の外部に配設された受信器へと自動的に送信するように取り付けて構成した。【選択図】　　　図１
2004092121.tif 000002
【特許請求の範囲】
【請求項１】
建物の窓や扉等の開閉体内に、自己発電可能で、かつ、送信機能を備えたモジュールを内蔵させ、上記モジュールの発電部は、上記開閉体の開閉に伴う振動により自己発電可能に構成されていると共に、上記モジュールの送信部は、上記開閉体の開作動と閉作動の別を判別して、該開閉体の開閉状態を、該開閉体の外部に配設された受信器へと自動的に送信するように取り付けられていることを特徴とする建物の開閉体。
【請求項２】
前記モジュールは、透磁性材質で形成され、或いは透磁可能な開口が形成された開閉体内に内蔵されていることを特徴とする請求項１に記載の建物の開閉体。
【請求項３】
前記モジュールは、振動により発電を行う応力発生機構を備えた圧電素子と、該圧電素子による発電力を電源として所定の信号を外部へと発信する送信回路とが一体化されたものが前記開閉体の内部に取り付けられて構成されていることを特徴とする請求項１または請求項２のいずれかに記載の建物の開閉体。
【請求項４】
前記モジュールは、開閉体の開閉を区別する機械的スイッチ或いはリードスイッチを有して構成されており、前記送信部は、上記スイッチからの開閉信号を判別して該信号を外部に配設された受信器へと発信するように構成されていることを特徴とする請求項１乃至請求項３のいずれかに記載の建物の開閉体。
【請求項５】
前記モジュールは、前記開閉体のコーナー部に開設された少なくとも１箇所以上の開口部付近に配設されていることを特徴とする請求項１乃至４のいずれかに記載の建物の開閉体。
【請求項６】
前記モジュールが収納保持されるケースユニットが、信号を透過し易いガラス或はプラスチックで成型されていることを特徴とする請求項１乃至請求項５のいずれかに記載の建物の開閉体。
【請求項７】
前記モジュールは、前記開閉体の枠部を構成するサッシ内部に配設されていることを特徴とする請求項１乃至請求項６のいずれかに記載の建物の開閉体。
【請求項８】
モジュール或は受信器には、開閉体を閉じたときにＬＥＤを発光させ、或は、警報を発する手段が付設されていることを特徴とする請求項１乃至７のいずれかに記載の建物の開閉体。
【請求項９】
前記圧電発電装置は、板バネと、該板バネの一端部に揺動自在に固定されたケースユニットと、該ケースユニット内に配設された圧電素子と、該圧電素子に応力を付与する球体と、上記ケースユニット内に配設され上記圧電素子の歪変形により発電された電流を整流する整流回路と、から構成されていることを特徴とする請求項１乃至請求項８のいずれかに記載の建物の開閉体。
【請求項１０】
前記圧電発電装置の板バネには、該板バネの撓み変形を阻止し、或は、撓み変形を許容するストッパ或は吸着体が付設されていることを特徴とする請求項９に記載の建物の開閉体。
【請求項１１】
前記板バネとモジュールが収納されたケースユニットとを一体化して構成したことを特徴とする請求項１乃至１０のいずれかに記載の建物の開閉体。
【発明の詳細な説明】
【０００１】
【発明の属する技術分野】
この発明は、建物の窓や扉等の開閉体内、好ましくはサッシ内に目立たないように内蔵され、外部電源を用いることなく開閉体の不正な開閉状態を通信により外部へと知らしめることが可能な建物の開閉体に関する。
【０００２】
【従来技術とその課題】
近年、窓ガラスを壊し、ロック装置を開けて空き巣に入るピッキングと呼ばれる犯罪が多発しており、これを防ぐため各種のセキュリティ装置が提案されている。
【０００３】
このような窓やドア等に取り付けられる従来のセキュリティ装置は、一般的には、窓やドア等のロック部等に後付けされる方式のものが殆どであるため、外側から容易に発見されやすく、また、ガラスを壊す等して、その作動を故意に停止させることも可能である。
【０００４】
さらに、従来のこの種のセキュリティ装置では、作動用電源の配線も後付けする必要であり、また、一家屋全部の窓やドアにこの従来のセキュリティ装置を取り付ける場合には、設備コスト及び工事コストが非常に高くなる他、全てのセキュリティ装置に、常時、電源を供給しておかなければならないため、ランニングコストも嵩む、という問題を有していた。
【０００５】
またさらに、上記従来のセキュリティ装置にあっては、同種のものを数多く取り付けなければならないため、開閉箇所の特定を瞬時に判断することが難しく、また、単体で機能するため、他のセキュリティシステムと複合させることが困難である等、実用上、非常に多くの解決しなければならない問題を有していた。
【０００６】
この発明は、かかる現状に鑑み創案されたものであって、その目的とするところは、外部から発見することが不可能であり、また、外部配線工事も不要な自己発電・自動送信機能付きのモジュールを内蔵した窓や扉等の建物用の開閉体とすることで、当該開閉体を建物の所定の開口部に装着する、という従来の開閉体の取付作業と全く同じ簡単な取付作業だけで非常に高いセキュリティ性能を簡単に得ることができると共に、従来のような専門の電気配線工事も不要となるので工事費を大幅にカットすることができ、しかも、発信器毎にＩＤを設定できるため、受信側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど不要とすることができる建物の開閉体を提供しようとするものである。
【０００７】
【課題を解決するための手段】
上記目的を達成するため、この発明に係る建物の開閉体は、請求項１に記載したように、建物の窓や扉等の開閉体内に、自己発電可能で、かつ、送信機能を備えたモジュールを内蔵させ、上記モジュールの発電部は、上記開閉体の開閉に伴う振動により自己発電可能に構成されていると共に、上記モジュールの送信部は、上記開閉体の開作動と閉作動の別を判別して、該開閉体の開閉状態を、該開閉体の外部に配設された受信器へと自動的に送信するように取り付けて構成したことを特徴とするものである。
【０００８】
それ故、請求項１に記載の建物の開閉体にあっては、建物の窓や扉等の開閉体内に、自己発電可能で、かつ、送信機能を備えたモジュールを内蔵させることで、外部からは全く発見することができないようにすることができる。
【０００９】
また、モジュールを自己発電可能で、かつ、送信可能に構成することで、外部配線が不要となり、これによってもモジュールが外部から発見できないと共に、開閉体の振動により電力を得る自己発電方式であるため、バッテリーの交換等が不要でランニングコストがかからず、また、停電しても確実に作動させることができるので、保安性能も非常に高い。
【００１０】
しかも、上記モジュールの送信部は、上記開閉体の開作動と閉作動の別を判別することができるので、セキュリティが必要なときに、開閉体の閉状態を確実に確認することができて安心であり、また、この開閉体の開閉状態は、該開閉体の外部に配設された受信器或は該受信器を経て警察や契約警備会社へと自動的に送信できるので、安全性を非常に高めることができる。
【００１１】
尚、この発明に用いられる前記モジュールは、請求項２に記載したように、透磁性材質或いは透磁可能な開口が形成された開閉体内に内蔵することで、発電作動を高効率で行うことができるように構成するのが望ましい。
【００１２】
また、この発明にあっては、前記モジュールは、具体的には、請求項３に記載したように、振動により発電を行う応力発生機構を備えた圧電素子と、該圧電素子による発電力を電源として所定の信号を外部へと発信する送信回路と、が一体化されたものが前記開閉体の内部に取り付けられて構成される。
【００１３】
さらに、この発明にあっては、請求項４に記載したように、前記モジュールに、請求項１で記載した開閉判別手段として、開閉体の開閉を区別する機械的スイッチ或いはリードスイッチを用い、前記送信部は、上記スイッチからの開閉信号を判別して該信号を外部に配設された受信器へと発信するように構成されている。
【００１４】
このように構成された前記モジュールは、請求項５に記載したように、前記開閉体のコーナー部に開設された少なくとも１箇所以上の開口部付近に配設することで、開閉体の振動によるモジュールの揺動振幅を大きく取ることができ、発電効率を容易に高めることが可能となると共に、通信を円滑に行うことができる。
【００１５】
この通信をより円滑に行うことができるようにするため、この発明にあっては、請求項６に記載したように、前記モジュールが収納保持されるケースユニットを、信号を透過し易いガラス或はプラスチックで成型するのが望ましい。
【００１６】
また、前記モジュールは、請求項７に記載したように、前記開閉体の枠部を構成するサッシ内部に配設するのが、目立たず、かつ、通信性能を確保する上で最良の実施形態である。
【００１７】
尚、この発明にあっては、開閉体を閉じてセキュリティモードにセットされたことを容易に目視確認することができるように、請求項８に記載したように、モジュール或は受信器に、開閉体を閉じたときにＬＥＤを発光させ、或は、警報を発する手段を付設して構成したことを特徴とするものである。
【００１８】
一方、この発明に用いられる前記圧電発電装置は、請求項９に記載したように、板バネと、該板バネの一端部に揺動自在に固定されたケースユニットと、該ケースユニット内に配設された圧電素子と、該圧電素子に応力を付与する球体と、上記ケースユニット内に配設され上記圧電素子の歪変形により発電された電流を整流する整流回路と、を有して構成するのが望ましい。
【００１９】
この場合、前記圧電発電装置の板バネには、請求項１０に記載したように、該板バネの撓み変形を阻止し、或は、撓み変形を許容するストッパ或は吸着体が付設することで、誤作動を確実に防止することができるように構成するのが望ましい。
【００２０】
さらに、この発明にあっては、製造を容易とし、かつ、取付或は交換をも容易とするために、前記板バネとモジュールが収納されたケースユニットとを、請求項１１に記載したように、一体化して構成するのが望ましい。
【００２１】
【発明の実施の形態】
次に、この発明の実施の形態例について図面を参照しつつ詳細に説明する。
【００２２】
図１乃至図３は、この発明の実施の第１形態例を示しており、該形態例では、この発明を建物の窓開口Ｗに装着されたアルミサッシ製の引戸１，２に適用した場合を示している。勿論、この発明の適用例は、本形態例における引戸１，２に限定されるものではなく、開き戸の扉、引戸の戸片、雨戸、観音開きの扉や窓、天窓等にも適用可能であり、また、これらの構成部材がアルミニューム以外の材質、例えば、木製やアルミニューム以外の金属材、石材、合成樹脂材であっても適用することができる。この場合、後記するモジュールＭが揺動可能な内部空間が形成されていることと、モジュールＭから発信される信号が当該モジュールＭの設置場所から離れて設置された受信器３１へと届くような手段、例えば、信号透過用の孔等を開設したり、当該部分をガラス板や合成樹脂で覆う等の処理を施す必要がある。
【００２３】
本形態例に係る引戸１，２の基本的な形態は、アルミサッシ製で中空部を有する略ロ字形窓枠３，４に板ガラス５，６が嵌め込まれて構成されており、クレセント錠７でロック可能に構成されている。
【００２４】
そして、上記引戸１，２が閉じられた状態で重合する上記窓枠３，４の室内側窓枠３Ａの上部コーナー中空部３Ｂ内には、自己発電可能で、かつ、送信機能を備えたモジュールＭが固定されて構成されている。尚、上記上部コーナー中空部３Ｂには、モジュール取付用の開口を開設することで、後付け可能に構成し、かつ、後記するモジュールＭの通信性能を向上させるように構成することもできるが、アルミサッシは電波の伝播性能が高いので、上記開口を必ずしも開設する必要はなく、サッシ成形時に予めモジュールＭを組み込んで構成してもよい。
【００２５】
上記モジュールＭは、図３に示すように、ユニットケース１０内に板状のバネ１１を介して揺動可能な大きさと形状に形成されており、該板バネ１１の下端部は、ブラケット１２を介してユニットケース１０に支持されている。尚、同図中符号１３は、ユニットケース１０に開設されたユニット切欠部である。また、この形態例では、モジュールＭの振幅範囲を効率的に得るため、略逆台形状に形成した場合を例にとり説明しているが、この発明にあってはこれに限定されるものではなく、窓枠の中空部内に完全に収納される大きさ・形状に構成することができる。この場合には、例えば、モジュールＭを後記する形態例で説明するようにコイルスプリングで上下方向、好ましくは水平方向に揺動するように構成するのが望ましい。
【００２６】
また、上記モジュールＭは、図４に示すように、モジュールケース１４内に収容された発電部１５と送信回路部１６とリードスイッチ１７及びモジュールケース１４の上部外側からユニット切欠部１３の外方へと突設された金属ノブ１８と、から構成されている。
【００２７】
そして、上記引戸２の窓枠４であって、引戸１，２が閉まっているときに引戸１のモジュールＭが配設された窓枠３Ａと対面する部位には、磁石１９，２０が取り付けられており、この内、磁石１９は、引戸１，２を開けたときにモジュールＭの金属ノブ１８を吸着してバネ１１を撓ませ、引戸１をさらに移動させたときに、上記吸着状態を解除させてモジュールＭをバネ１１の弾性力により揺動させるために用いられ、また、磁石２０は、引戸１を閉じたときにリードスイッチ１７を励磁して、その信号を制御部２３へと送信するために用いられる。
【００２８】
次に、上記モジュールＭの発電部１５は、図５に示すように、圧電素子発電部２１と整流回路２２と、から構成されており、また、送信回路部１６は、制御部２３と発信部２４とアンテナ２５と、から構成されている。
【００２９】
また、上記圧電発電部２１は、図６に示すように、金属製の中空箱状の発電部ケース２６と、該発電部ケース２６内に対設された圧電素子２７，２７と、該圧電素子２７，２７に衝撃応力を付与する鉄球２８と、から構成されており、上記圧電素子２７，２７は、クッション材２９，２９に保持されていると共に、上記鉄球２８は、発電部ケース２６内に形成された通路３０に沿って直線的に往復動するように収容されている。尚、圧電素子２７は、この形態例では、ＰＺＴ系の２枚の板形の圧電セラミックス板を分極が互いに逆になるように接合して、直列に接続された発電構成として分極による打消しが防止されて発電性能が高められるように構成されている。
【００３０】
圧電セラミックス板は、チタンジルコン酸亜鉛系の素材が好適であるが、これに限定されるものではなく、また、振動を長く持続してより効率的な発電を得るために、できるだけ硬くＱ値が高いものを用いるのが望ましい。具体的には、Ｑ値は１０００以上、好ましくは、Ｑ値が２０００以上のものを用いるのが望ましい。また、クッション材２９としては、合成樹脂材、ゴム材或はこれらをスポンジ状に形成した軟質材料を用いることができ、具体的には、発泡ポリエチレンが好適である。さらに、この発明では、鉄球２８を、圧電素子２７が破壊されていない程度に重量が重く発電効率が良好なタングステンや鉄などを用いることができ、また、圧電素子２７の鉄球衝突面部をプロテクタでコーティングしてもよく、この場合には、加工性に優れたリン青銅やステンレス等の硬い金属或は合成樹脂などを用いることができる。
【００３１】
また、この圧電素子２７，２７は、上記クッション材２９，２９の中央部分又は両端部に接着剤で部分的に接着されている。勿論、接着剤以外の固定手段で固着してもよい。
【００３２】
整流回路２２は、圧電素子発電部２１で出力された交流電力を整流して脈流にする回路であり、所要数のダイオードで全波整流の回路が形成される。
【００３３】
制御部２３は、詳細は後記するが、前記モジュールＭの作動状態が、窓が開いた状態なのか、開いた窓を閉めた状態であるかを判定し、この別を異なる周波数の電波で区別し送信するように制御する回路である。
【００３４】
また、発信部２４は、特に図示はしないが、通信制御手段と信号スイッチ手段と信号発生手段とを有して構成されている。この内、通信制御手段は通信に必要な動作を行う手段であり、電力が前記の方法で供給されることで動作を開始して信号スイッチ手段をＯＮ作動させると共に、発信のためのデータを信号発生手段へと送る。
【００３５】
この発信のためのデータとしては、少なくとも、窓の開閉状態を知らせるためのリードスイッチ１７等からのデータや、当該モジュールＭが設置されたサッシに関するＩＤデータを含むものとする。
【００３６】
また、上記信号発生手段は、上記通信制御手段から受け取った発信のためのデータを所定の無線信号に変換してアンテナ２５から発信する。勿論、この形態例では、本モジュールＭがバッテリーを備えて構成されている場合には、上記通信制御手段が発信のために必要なデータを全て信号発生手段へと送り終えた後、該通信制御手段が作動して、放電を停止させるように制御するのが望ましい。
【００３７】
このように構成されてなる発電部１５は、発電部ケース２６に外力が作用し、板バネ１１のバネ力によって該発電部ケース２６が往復揺動することで、該発電部ケース２６内の鉄球２８は、上記通路３０内を直線状に往復移動して圧電素子２７，２７に衝突し、この衝突応力を受けて圧電素子２７，２７が発電を行ない、発電された電流は整流回路２２で整流されて発信回路部１６を作動させ、該発信回路部１６は、特定の周波数からなる電波（不正侵入告知信号）を、例えば、図７に示す集中セキュリティ管理装置の受信機３１へと送信する。
【００３８】
尚、この形態例では、圧電素子２７，２７が応力を受け発電すると略同時に受信器３１が作動して信号を発信するように構成されているが、この発明にあってはこれに限定されるものではなく、より安定した電波信号を送信する場合には、日常的な窓の開閉作動により得られる振動により発電された電流を一定電圧までバッテリーに蓄電し、余剰の電流は放電するように構成してもよい。
【００３９】
この場合には、特に図示はしないが、前記整流回路２２で得られた脈流を直流として充電するコンデンサからなる充電手段と、この充電手段の充電量を圧電素子２７，２７の発電のタイミングに応じて間歇的に監視し判定する手段と、この判定手段により充電手段の充電量が発信可能なレベルに達すると充電手段の放電を開始させ、発信部２４へと電力を供給する自己保持型電流スイッチ等で構成される放電スイッチを付設して構成するのが望ましい。
【００４０】
また、この形態例における上記受信器３１は、モジュールＭが取り付けられた引戸１から離間した管理や気付き易い任意の場所に設置されている。具体的には、一戸建ての家屋の場合には、居間や台所、就寝室等に設置し、ビル等の建物の場合には管理室、或は、契約警備会社若しくは協力が得られるならば警察等に設置することができる。
【００４１】
また、この受信器３１は、１台で複数のモジュールＭからの信号を受信できるように構成されており、アンテナ３２と、受信部３３と、制御部３４と出力部３５及び電源３６と、から構成されている。
【００４２】
受信部３３では、各モジュールＭからの信号を受信し、該信号を制御部３４へと送り、該制御部３４では、受信部３３で受信した信号がいずれのモジュールＭからの信号であるかを各モジュールＭに付与されたＩＤ情報に基づきこれを判別回路（図示せず）で自動的に判別し、出力部３５へと当該判別情報を送る。
【００４３】
出力部３５は、制御部３４からの判別信号に基づき、例えば、家屋等に設置した警報装置や、ネットワークを介して契約警備会社、警察等の他、居住者のパソコンや携帯電話、緊急連絡先等へと自動的に侵入情報を送信するように構成されている。勿論、屋内に設置する場合には、当該受信器３１にＬＥＤ等を配置し、このＬＥＤの点滅によって侵入箇所を迅速に視認することができるように構成するのが望ましい。さらに、この出力部３５は、家人の出入りの際や日常的な窓の開閉の際にも、侵入信号を発信するため、わずらわしい場合もあることから、メインスイッチやリモートコントローラまたは携帯電話等でその作動の要否をＯＮ・ＯＦＦ制御できるように構成するのが望ましい。
【００４４】
次に、上記のように構成されてなるアルミサッシ製の引戸１，２の作動を図８乃至図１５に基づいて説明する。図８（Ａ）（Ｂ）は引戸１，２が閉じている状態を、図９（Ａ）（Ｂ）は引戸１を少し開いてモジュールＭの金属ノブ１８と磁石１９が吸着している状態を、図１０（Ａ）（Ｂ）は引戸１がさらに開いてバネ１１が撓んだ状態を、図１１（Ａ）（Ｂ）は引戸１が図１０の状態よりもさらに開いてモジュールＭと磁石１９が離れモジュールＭがバネ１１の弾性力によって揺動している状態を、図１２（Ａ）（Ｂ）は引戸１が開いた状態を、図１３（Ａ）（Ｂ）は引戸１が少し閉じて磁石１９にモジュールＭが吸着した状態を、図１４（Ａ）（Ｂ）は引戸１を図１３の状態よりもさらに閉じてバネ１１が撓んだ状態を、図１５（Ａ）（Ｂ）は引戸１が完全に閉じて磁石１９とモジュールＭが離間しモジュールＭが揺動している状態を夫々示している。
【００４５】
図８（Ａ）（Ｂ）に示す状態では、引戸１，２が完全に閉じており、モジュールＭの金属ノブ１８は、磁石１９に吸着されていないので、モジュールＭは揺動しない停止状態を保持している。尚、このとき、モジュールＭのリードスイッチ１７は磁石２０の作用により励磁されて「閉信号」を制御部２３へと送信しているので、前記発信部２４は受信器３１に当該引戸１，２が「閉状態」となっていることを、例えば、一定時間毎に送信するように構成されている。
【００４６】
この状態から、図９（Ａ）（Ｂ）に示すように、引戸１が少し開くと、モジュールＭの金属ノブ１８と磁石１９が吸着する。この状態でも上記モジュールＭのリードスイッチ１７は磁石２０の励磁作用を受け、引戸１がまだ開かれていない状態と認識し、前記「閉信号」を受信器３１へと送信し続ける。
【００４７】
そして、図１０（Ａ）（Ｂ）に示すように、引戸１がさらに開かれてモジュールＭの金属ノブ１８が磁石１９に吸着された状態を保持すると、モジュールＭを立設保持するバネ１１が徐々に撓む。このとき、モジュールＭのリードスイッチ１７への磁石２０による励磁作用は解除されるので、制御部２３は「開状態送信可能」の状態にセットされる。
【００４８】
そして、図１１（Ａ）（Ｂ）に示すように、引戸１が図１０の状態よりもさらに開いてモジュールＭと磁石１９が離れ、モジュールＭがバネ１９の弾性力によって揺動を開始すると、圧電発電部２１において圧電発電が開始され、発電された電力が整流回路２２で整流された後、制御部２３へと送られ、該制御部２３ではこの供給された電力により発信部２４を作動させて、引戸１（引戸２）が開かれた旨を知らせる信号を送信回路部１６から受信器３１へと発信する。尚、この信号の送信は、少なくともモジュールＭが揺動している間は継続される。
【００４９】
図１２（Ａ）（Ｂ）は引戸１が開いてモジュールＭの揺動状態が停止している状態を示しており、この状態から図１３（Ａ）（Ｂ）に示すように、引戸１を少し閉じると、金属ノブ１８が磁石１９に吸着される。この状態では、モジュールＭのリードスイッチ１７は磁石２０からは離れているので、該リードスイッチ１７からの信号は、「開信号」を送信し続けている。
【００５０】
この状態から、引戸１をさらに閉じて図１４（Ａ）（Ｂ）に示す状態とすると、モジュールＭは磁石１９に吸着された状態を保持しつつバネ１１が撓む。このとき、モジュールＭのリードスイッチ１７は磁石２０の励磁作用を受ける位置まで移動しているので、該リードスイッチ１７は起動して「閉信号」を受信器３１へと発信する。
【００５１】
この後、引戸１を完全に閉じると、図１５（Ａ）（Ｂ）に示すように、磁石１９からモジュールＭが離間し、バネ１１の弾性力によりモジュールＭが揺動し、例えば、リードスイッチ１７の待機電力として蓄電され、或は、リードスイッチ１７の「閉信号」発信電力を供給する。
【００５２】
このように、この形態例では、外部電源に頼ることなく、引戸１の開閉作動毎に圧電素子発電部２１が自己発電して必要な電力を直ちに供給することができるように構成されているので、外部からは発見不能であり、また、外部配線工事も不要な自己発電・自動送信機能付きのモジュールを内蔵して構成しているので、当該引戸１，２を建物の窓開口部に装着する、という従来の引戸の取付作業と全く同じ簡単な取付作業だけで非常に高いセキュリティ性能を簡単に得ることができると共に、従来のような専門の電気配線工事も不要となるので工事費を大幅にカットすることができ、しかも、モジュールＭ毎にＩＤを設定できるため、受信器３１側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど不要とすることができる、という効果を得ることができる。
【００５３】
図１６と図１７は、この発明の実施の第２形態例に係る引戸１，２を示しており、この形態例に係る引戸１，２は、第１形態例に係る板状のバネ１１で保持するモジュールＭに代えて、該モジュールＭを窓枠３，４の水平部分に直線移動可能に配置すると共に、該モジュールＭの両端部をコイルスプリング１１Ａ，１１Ａで架設保持し、さらに、モジュールＭの外側から窓枠３の垂直部３Ａ方向に延びるブラケット３０の先端部に前記金属ノブ１８を突設して第１形態例の金属ノブ１８と同様の作用を呈するように構成した他は、他の構成・作用は第１形態例と同様であるので、図面には第１形態例と同一の符号を付して、その詳細な説明をここでは省略する。
【００５４】
即ち、この形態例では、引戸１，２が閉じている状態では、図１６（Ａ）（Ｂ）に示すように、金属ノブ１８が磁石１９に吸着されている状態を保持するように構成されていると共に、引戸１が開いた状態では、図１７（Ａ）（Ｂ）に示すように、磁石１９がモジュールＭのリードスイッチ１７を励磁するように構成して、第１形態例の磁石２０を廃止して構成されている。
【００５５】
それ故、この形態例に係る引戸１，２にあっては、第１形態例の引戸１のように、コーナー部に三角形状のモジュール揺動空間を形成する必要がなくなるので、市販されている標準仕様の引戸にも適用することができて引戸の製造コストが嵩むのを防止することができ、また、後付も簡単に行うことも可能となる他、部品点数を低減できるので、第１形態例で得られる作用・効果に加え、引戸１又は２の組み立て作業及び製品コストを低減することができる、という作用・効果を得ることができる。
【００５６】
尚、上記各形態例では、モジュールＭを引戸１の上部コーナー部に配設した場合を例にとり説明したが、この発明にあってはこれに限定されるものではなく、例えば、図１８に示すように、モジュールＭを引戸１の上下コーナー部に配置し、これらのモジュールＭから同一の信号が発せられたときに窓が開いたことを確認するようにして誤作動を防止するように構成してもよく、また、引戸２に第１・第２形態例或は図１８と同様にモジュールＭを配設して構成し、さらには、引戸１，２のそれぞれに同様にモジュールＭを配設して構成してもよい。
【００５７】
また、この発明にあっては、窓がヒンジ開閉方式である場合には、窓枠の回転軌跡の途中に金属ノブ１８を配設し、窓開口枠側に磁石１９，２０を配設して構成しても同様の作用・効果を得ることができる。
【００５８】
【発明の効果】
この発明に係る建物の開閉体は、以上説明したように、窓やドア等に予め組み込むことができる内蔵型で構成したので、外部から発見しにくく、また、外部からは全く発見できず、また、外部配線工事も不要な自己発電・自動送信機能付きのモジュールを内蔵した窓や扉等の建物用の開閉体とすることで、当該開閉体を建物の所定の開口部に装着する、という従来の開閉体の取付作業と全く同じ簡単な取付作業だけで非常に高いセキュリティ性能を簡単に得ることができると共に、従来のような専門の電気配線工事も不要となるので工事費を大幅にカットすることができ、しかも、発信器毎にＩＤを設定できるため、受信側で発信箇所を瞬時に特定することができて、従来の集中セキュリティシステムとも容易にジョイント可能であり、さらには、外部電源を必要としないので、外部電源が遮断された場合でも機能させることができ、ランニングコストもほとんど不要とすることができる等、幾多の優れた効果を奏する。
【図面の簡単な説明】
【図１】この発明の実施の第１形態例に係る建物の開閉体である引戸の取り付け状態を示す正面説明図である。
【図２】同引戸のモジュール配置部位を拡大して示す構成説明図である。
【図３】同モジュールが収納されたユニットケースの構成を示す断面図である。
【図４】同モジュールの内部構成を示す正面図である。
【図５】同モジュールの回路構成を示すブロック図である。
【図６】同モジュールの圧電発電部の構成例を示す断面図である。
【図７】本形態例に用いられる受信器の構成例を示すブロック図である。
【図８】（Ａ）は引戸が閉じている状態の平断面説明図を、（Ｂ）は同状態の要部正面説明図である。
【図９】（Ａ）は引戸を少し開いてモジュールの金属ノブと磁石が吸着している状態の平断面説明図を、（Ｂ）は同状態の要部正面説明図である。
【図１０】（Ａ）は引戸がさらに開いてバネが撓んだ状態の平断面説明図を、（Ｂ）は同状態の要部正面説明図である。
【図１１】（Ａ）は引戸が図１０の状態よりもさらに開いてモジュールと磁石が離れモジュールがバネの弾性力によって揺動している状態の平断面説明図を、（Ｂ）は同状態の要部正面説明図である。
【図１２】（Ａ）は引戸が開きモジュールが停止した状態の平断面説明図を、（Ｂ）は同状態の要部正面説明図である。
【図１３】（Ａ）は引戸が少し閉じて磁石にモジュールが吸着した状態の平断面説明図を、（Ｂ）は同状態の要部正面説明図である。
【図１４】（Ａ）は引戸を図１３の状態よりもさらに閉じてバネが撓んだ状態の平断面説明図を、（Ｂ）は同状態の要部正面説明図である。
【図１５】（Ａ）は引戸が完全に閉じて磁石とモジュールが離間し、該モジュールが揺動している状態の平断面説明図を、（Ｂ）は同状態の要部正面説明図である。
【図１６】この発明の実施の第２形態例に係る建物の開閉体である引戸を示しており、（Ａ）は引戸が完全に閉じて磁石とモジュールの金属ノブが吸着している状態の平断面説明図を、（Ｂ）は同状態の要部正面説明図である。
【図１７】（Ａ）は同引戸が開いてモジュールの金属ノブと磁石が離れモジュールが水平直線方向に振動している状態の平断面説明図を、（Ｂ）は同状態の要部正面説明図である。
【図１８】前記モジュールを引戸の上下に配置した例を示す正面説明図である。
【符号の説明】
Ｍ　モジュール
Ｗ　窓
１，２　引戸（建物の開閉体）
３，４窓枠
３Ａ　室内側窓枠
３Ｂ　上部コーナー中空部
７　クレセント錠
１０　ユニットケース
１１　バネ
１２　ブラケット
１３　ユニット切欠部
１４　モジュールケース
１５　発電部
１６　送信回路部
１７　リードスイッチ
１８　金属ノブ
１９，２０　磁石
２１　圧電素子発電部
２２　整流回路
２３　制御部
２４　発信部
２５　アンテナ
２７　圧電素子
２８　鉄球
２９　クッション材
【図１】
2004092121.tif 000003
【図２】
2004092121.tif 000004
【図３】
2004092121.tif 000005
【図４】
2004092121.tif 000006
【図５】
2004092121.tif 000007
【図６】
2004092121.tif 000008
【図７】
2004092121.tif 000009
【図８】
2004092121.tif 000010
【図９】
2004092121.tif 000011
【図１０】
2004092121.tif 000012
【図１１】
2004092121.tif 000013
【図１２】
2004092121.tif 000014
【図１３】
2004092121.tif 000015
【図１４】
2004092121.tif 000016
【図１５】
2004092121.tif 000017
【図１６】
2004092121.tif 000018
【図１７】
2004092121.tif 000019
【図１８】
2004092121.tif 000020